(57)【特許請求の範囲】
【請求項１】
平坦な野地面（３０ａ）と、表面に勾配が形成された四角形の発泡材（６）の表面に金属の薄板から成る外囲板（８）が一体的に固着され前記発泡材（６）と外囲板（８）とが一体構造を構成する外囲ブロック（４）とを備え、前記外囲板（８）の前後左右両側に、他の外囲板（４）と係合自在な係合部を設け、前記野地面（３０a）上に、互いの接合部に段差が生じないように且つ水の流れる方向に勾配が形成されるように複数の外囲ブロック（４）を隣接配置し、各外囲ブロック（４）の前後左右両側を各外囲ブロック（４）の外囲板（８）に形成した係合部を係合して互いに結合したことを特徴とする外囲体。
【請求項２】
平坦な野地面（３０ａ）と、表面に勾配が形成された四角形の発泡材（６）の表面に金属の薄板から成る外囲板（８）が一体的に固着され前記発泡材（６）と外囲板（８）とが一体構造を構成する外囲ブロック（４）と、前記外囲ブロック（４）の勾配の段差の整数倍の高さの支持面を有する複数の細長状の垂木（２８）とを備え、前記野地面（３０ａ）上に、直接あるいは、前記垂木（２８）を介して複数の外囲ブロック（４）を互いに隣接するように載置し、前記垂木（２８）の支持面によって、上流側の外囲ブロック（４）の高さを、隣接する下流側の外囲ブロック（４）の高さよりも前記勾配の段差分持ち上げ、勾配方向に接合する上流側と下流側の外囲ブロック（４）の接合部の高さを一致させ、前記外囲ブロック（４）の隣接する部分を各外囲ブロック（４）の外囲板（８）に形成した係合部を係合して互いに結合したことを特徴とする外囲体。
【請求項３】
前記外囲板（８）の前後に設けられた係合部を、外囲板（８）の縁部の所定幅を表面方向にＶ字状に折り返して形成した第１の係合片（２４）と、外囲板（４）の他の縁部の所定幅を裏面方向にＶ字状に折り返して形成した第２の係合片（２６）とより構成したことを特徴とする「請求項１」又は「請求項２」に記載の外囲体。
【請求項４】
前記外囲板（８）の左右両側に設けられた係合部を、発泡材（６）の一側部に形成された溝（２２）に嵌合する凹入部（１６）内に一体的に形成された立ち上がり部（１８）にこれに対して直角に屈折形成された第１の引掛部（２０）と、発泡材（６）の他側部から延長する水平側板部（１０）に対して下向き直角な垂直側板部（１２）にこれに対してＶ字状に屈折形成された第２の引掛部（１４）とより構成したことを特徴とする「請求項１」又は「請求項２」に記載の外囲体。
【発明の詳細な説明】
【０００１】
【発明の属する技術分野】
本発明は、屋根やベランダなどに用いられる外囲体に関する。
【０００２】
【従来の技術】
従来、ベランダや屋根を構成する場合、特公昭６４―１６１４号公報に示すように、桁あるいは母屋に垂木を支承し、この垂木の上に、コンクリートパネルや断熱板及び金属板を支持させている。
【０００３】
【発明が解決しようとする課題】
従来、屋根やベランダの外囲面に勾配を持たせる場合には、垂木や母屋で勾配を取り、その上に野地板を載せ、この野地板に断熱材を敷設し、該断熱材の上に外囲板を敷設している。しかるに、垂木や母屋で勾配を取る作業は、複雑で作業効率が悪く、しかも、垂木に勾配を付ける作業は簡単に行うことができないので、コスト高となるという問題点があった。
本発明は、上記問題点を解決することを目的とするものである。
【０００４】
【課題を解決するための手段】
上記目的を達成するため、本発明は、平坦な野地面（３０ａ）と、表面に勾配が形成された四角形の発泡材（６）の表面に金属の薄板から成る外囲板（８）が一体的に固着され前記発泡材（６）と外囲板（８）とが一体構造を構成する外囲ブロック（４）とを備え、前記外囲板（８）の前後左右両側に、他の外囲板（４）と係合自在な係合部を設け、前記野地面（３０a）上に、互いの接合部に段差が生じないように且つ水の流れる方向に勾配が形成されるように複数の外囲ブロック（４）を隣接配置し、各外囲ブロック（４）の前後左右両側を各外囲ブロック（４）の外囲板（８）に形成した係合部を係合して互いに結合したものである。
【０００５】
また、上記目的を達成するため、本発明は、平坦な野地面（３０ａ）と、表面に勾配が形成された四角形の発泡材（６）の表面に金属の薄板から成る外囲板（８）が一体的に固着され前記発泡材（６）と外囲板（８）とが一体構造を構成する外囲ブロック（４）と、前記外囲ブロック（４）の勾配の段差の整数倍の高さの支持面を有する複数の細長状の垂木（２８）とを備え、前記野地面（３０ａ）上に、直接あるいは、前記垂木（２８）を介して複数の外囲ブロック（４）を互いに隣接するように載置し、前記垂木（２８）の支持面によって、上流側の外囲ブロック（４）の高さを、隣接する下流側の外囲ブロック（４）の高さよりも前記勾配の段差分持ち上げ、勾配方向に接合する上流側と下流側の外囲ブロック（４）の接合部の高さを一致させ、前記外囲ブロック（４）の隣接する部分を各外囲ブロック（４）の外囲板（８）に形成した係合部を係合して互いに結合したものである。
【０００６】
また、上記目的を達成するため、本発明は、前記外囲板（８）の前後に設けられた係合部を、外囲板（８）の縁部の所定幅を表面方向にＶ字状に折り返して形成した第１の係合片（２４）と、外囲板（４）の他の縁部の所定幅を裏面方向にＶ字状に折り返して形成した第２の係合片（２６）とより構成し、前記外囲板（８）の左右両側に設けられた係合部を、発泡材（６）の一側部に形成された溝（２２）に嵌合する凹入部（１６）内に一体的に形成された立ち上がり部（１８）にこれに対して直角に屈折形成された第１の引掛部（２０）と、発泡材（６）の他側部から延長する水平側板部（１０）に対して下向き直角な垂直側板部（１２）にこれに対してＶ字状に屈折形成された第２の引掛部（１４）とより構成したものである。
【０００７】
【発明の実施の形態】
以下に本発明の実施の形態を、添付した図面を参照して詳細に説明する。
図２において、（２）は建物の屋根部の母屋に支持された下地材であり、合板などから成る野地板（３０）により構成され、地面に対して水平な状態で支承されている。
【０００８】
（４）は外囲プロックであり、硬質ウレタンフォームあるいは、発泡スチロールなどから成る発泡材（６）と、これに一体的に接着された、金属の薄板から成る外囲板（８）とから構成されている。発泡材（６）と外囲板（８）との接着は、接着剤を使わず、硬質ウレタンフォームを外囲板（８）に発泡することにより自己接着され、発泡材（６）と外囲板（８）とは一体構造を構成している。
【０００９】
発泡材（６）は、四角の厚板形状に構成され、表面に前後方向に沿って所定の勾配が形成されている。前記外囲板（８）の両側のうち、一側部には、図８に示すように、水平側板部（１０）とこれに対して下向き直角方向に屈折された垂直側板部（１２）と、これに対してＶ字状に角度を有して内側に屈折された引掛部（１４）とが一体的に形成され、係合部を構成している。
【００１０】
前記外囲板（８）の他側部には、コ字状の凹入部（１６）と該凹入部（１６）の中央に形成された立ち上がり部（１８）と、該立ち上がり部（１８）に対してＬ形を形成すべく直角に屈折された引掛部（２０）とが一体的に屈折形成され、該引掛部（２０）は外囲板（８）の平坦部と略同一平面上に形成されている。前記立ち上がり部（８）と引掛部（２０）とは係合部を構成している。前記凹入部（１６）は、発泡材（６）の前後方向即ち縦方向に沿って形成された溝（２２）に一体的に嵌合固着されている。外囲板（８）の縦方向の一端には図３及び図４に示すように、表面側にＶ字状に折り返された係合片（２４）が形成され、外囲板（８）の縦方向の他端には図３及び図４に示すように、裏面側にＶ字状に折り返された係合片（２６）が形成されている。
【００１１】
前記係合片（２４）（２６）は、互いに係合し易いように両側に切欠部が形成され、略台形状となっている。
図１において、外囲ブロック（４）は勾配方向即ち前後方向に同じ向きで３個配置されている。作業現場には、同一寸法同一形状の外囲ブロック（４）が所要数と、棟と軒先用の外囲ブロック（４）が用意されている。
【００１２】
（２８）は長尺細長部材から成る金属垂木であり、フラットな支持面と、取り付け部とが屈折形成されている。金属垂木（２８）は、１倍寸法（Ａ）と、２倍寸法（Ｂ）が用意され、各金属垂木（２８）の長さは同一に設定されている。外囲ブロック（４）の勾配方向の両端の段差が２５ｍｍとすると、１倍寸法（Ａ）の金属垂木（２８）の支持面の高さは２５ｍｍに設定され、２倍寸法（Ｂ）の支持面の高さは５０ｍｍに設定されている。
【００１３】
即ち、１倍寸法（Ａ）、２倍寸法（Ｂ）の各々の金属垂木（２８）の支持面の高さは、外囲ブロック（４）の勾配方向の段差に対して、整数倍、即ち１倍、２倍に設定されている。本実施形態では、図２に示すように、２種類の金属垂木（２８）を用意したが、勿論、屋根部の広さによって、更に、３倍寸法、４倍寸法、５倍寸法の金属垂木を用意しても良い。
【００１４】
これら金属垂木（２８）は、その支持面の高さが長さ方向に一定で、フラットであり、勾配がないため、容易に製造することができる。
次に、建物のフラットな野地面、即ち下地面に、勾配を有して、外囲板を覆い、野地面に屋根などの外囲体を構築する動作について説明する。
【００１５】
まず、フラットな野地板（３０）の上面の下流端部分、即ち雨水の流れの方向（Ｄ）の下流端部分に、勾配の付いた外囲ブロック（４）を複数並列に載置する。この場合、外囲ブロック（４）は、雨水の流れる方向（Ｄ）に対して、高い方向から低い方への勾配の方向が一致するように配置する。
【００１６】
次に、野地板（３０）上の、最下段の外囲ブロック（４）の配置スペース（Ｓ１）と隣接する上流側のスペース（Ｓ２）に、互いに所定間隔を存して平行に１倍寸法（Ａ）の金属垂木（２８）を配置し、くぎなどによって野地板（３０）に固定する。これらの金属垂木（２８）の各々の長手方向は、図１に示すように、最下段の外囲ブロック（４）の勾配の方向に対して直角でも良く、また、勾配の方向に対して平行であっても良い。
【００１７】
次に、図２に示すように、スペース（Ｓ２）と隣接する上流のスペース（Ｓ３）に、互いに所定間隔を存して平行に、あるいは直角に、２倍寸法（Ｂ）の金属垂木（２８）を配置し、くぎなどによって野地板（３０）に固定する。野地面（３０ａ）、即ち野地板（３０）の上面の広さに応じて、上記した要領により、順次、３倍、４倍寸法の金属垂木（２８）を野地板（３０）に固定配置する。
【００１８】
次に、１倍寸法（Ａ）の金属垂木（２８）の上に外囲ブロック（４）を複数並列に載置する。この並列に隣接配置された各外囲ブロック（４）の横方向の結合は、図６に示すように、一方の外囲板（８）の一側部の引掛部（１４）を隣接する他方の外囲板（８）の他側部の引掛部（２０）に係合することにより簡単に行うことができる。
【００１９】
また、水の流れる方向に直列配置された各外囲ブロック（４）の縦方向の結合は、図３及び図４に示すように、上流側と下流側の外囲板（８）（８）の係合片（２４）と係合片（２６）を差し込み係合することにより簡単に行うことができる。水の流れる方向に直列に配置された互いに隣接する両外囲ブロック（４）（４）は、図２に示すように互いの合接する部分が、同一高さとなる。
【００２０】
同様に、２倍寸法（Ｂ）の金属垂木（２８）の上に外囲ブロック（４）を並列に載置し、横方向に上記した要領で結合するとともに、縦方向も同様に結合する。該状態において、２倍（Ｂ）の金属垂木（２８）の上の外囲ブロック（４）とこれに隣接する１倍寸法（Ａ）の金属垂木（２８）の上の外囲ブロック（４）とは互いの合接する部分が同一の高さとなる。これによって、野地面（３０ａ）に、勾配を有する複数の外囲ブロック（４）を、表面に段差を形成することなく結合配置することができる。
【００２１】
上記実施形態では、上流側の外囲ブロック（４）を金属垂木（２８）によって支持しているが、図７に示すように、下流側と上流側とで外囲ブロック（３２）の高さ寸法が異なるようにし、且つ、接合部で段差が生じないように寸法を設定して、全外囲ブロック（３２）を、直接、野地面に載置するように構成してもよい。
【００２２】
尚、本発明の実施形態において、外囲ブロック（４）（３２）の外囲板（８）の形状は、大多数は同一の形状のものを用いるが、屋根の軒部分及び建物（３４）の樋（３６）と接する部分に配置される外囲ブロック（４）（３２）の外囲板（８）は、下向き屈折部（３８）や、上向き屈折部（４０）が形成され、他の外囲ブロック（４）（３２）の外囲板（８）の形状とは異なっている。
【００２３】
【発明の効果】
本発明は、上述の如く構成したので、フラットな野地面に勾配を有して外囲板を簡単にセットすることができ、しかも断熱効果が向上し、コストダウンも図ることができる。
【図面の簡単な説明】
【図１】本発明である外囲体の要部の外観説明図である。
【図２】外囲体の側面断面図である。
【図３】外囲ブロックの外観図である。
【図４】外囲板の側面説明図である。
【図５】外囲体の一部の側面断面図である。
【図６】Ａ−Ａ線断面図である。
【図７】外囲体の他の実施形態を示す外観図である。
【図８】外囲ブロックの断面図である。
【符号の説明】
２      野地板
４      外囲ブロック
６      発泡材
８      外囲板
１０    水平側板部
１２    垂直側板部
１４    引掛部
１６    凹入部
１８    立ち上がり部
２０    引掛部
２２    溝
２４    係合片
２６    係合片
２８    金属垂木
３０    野地板
３２    外囲ブロック
３４    建物
３６    樋
３８    下向き屈折部
４０    上向き屈折部
【図１】
0003987629.tif 000002
【図２】
0003987629.tif 000003
【図３】
0003987629.tif 000004
【図４】
0003987629.tif 000005
【図５】
0003987629.tif 000006
【図６】
0003987629.tif 000007
【図７】
0003987629.tif 000008
【図８】
0003987629.tif 000009